(57)【特許請求の範囲】
【請求項１】
磁気ストライプ又はＩＣチップの少なくとも一方を有するカードが搬送されるカード通路を内部に有する筐体と、
前記筐体の正面に設けられ、前記カード通路に通じる正面開口部と、
前記正面開口部から挿入された前記カードを前記カード通路に沿って搬送するカード搬送機構と、
前記カード搬送機構により搬送される前記カードの磁気ストライプに記憶されているデータの読み取りを行う磁気カードリーダと、
前記カード搬送機構により読取位置まで搬送された前記カードのＩＣチップに接触して、ＩＣチップに対するデータの読み取り又は書き込みを行う接触型ＩＣカードリーダ／ライタと、
前記カード搬送機構によって引き込まれていない前記カードのＩＣチップとの間で電波を介し、非接触でＩＣチップに対するデータの読み取り又は書き込みを行うことができるように前記正面開口部に挿入される前記カードに対向する位置に位置付けられた非接触型ＩＣカードリーダ／ライタと、
を備え、前記非接触型ＩＣカードリーダ／ライタによってデータの読み取り又は書き込みが行われる種類の前記カードであったとしても、前記正面開口部に挿入された前記カードを前記カード搬送機構により引き込むようにした、カード処理装置。
【請求項２】
前記非接触型ＩＣカードリーダ／ライタ、前記磁気カードリーダ及び前記接触型ＩＣカードリーダ／ライタは、この順番で前記正面開口部から前記カード通路に沿って位置付けられている請求項１記載のカード処理装置。
【請求項３】
前記非接触型ＩＣカードリーダ／ライタは、前記正面開口部より手前側に位置付けられている請求項１記載のカード処理装置。
【請求項４】
前記非接触型ＩＣカードリーダ／ライタは、前記筐体に対して着脱自在に設けられている請求項３記載のカード処理装置。
【請求項５】
前記筐体の背面に設けられ、前記カード通路に通じる背面開口部を備える請求項１、２、３又は４記載のカード処理装置。
【請求項６】
請求項１ないし５のいずれか一記載のカード処理装置と、
前記カード処理装置に対し、商品の販売処理に関する決済金額データを送信する販売データ処理手段と、
を備えるカード決済システム。
【発明の詳細な説明】
【０００１】
【発明の属する技術分野】
本発明は、カード処理装置及びカード決済システムに関する。
【０００２】
【従来の技術】
現在、現金の代わりに決済手段として機能する各種カード、例えば、クレジットカード、デビットカード決済に用いられるキャッシュカード、プリペイドカード等が広く普及している。これらのカードとしては、磁気カード、接触型ＩＣ（Integrated Circuit）カード、非接触型ＩＣカード等が採用されている。
【０００３】
これらのカードは、それぞれに対応するカード処理装置（決済端末）によって、データの読み取り又は書き込みが行われる。図８に示すように、磁気カードは、ＰＯＳ（Point of Sales）端末１００に接続された磁気カード処理装置１０１により磁気ストライプに記憶されているデータの読み取りが行われ、接触型ＩＣカードは、磁気カード処理装置に接続されている接触型ＩＣカード処理装置１０２によりＩＣチップに対するデータの読み取り又は書き込みが行われる。また、非接触型ＩＣカードは、ＰＯＳ端末１００に接続された非接触型ＩＣカード処理装置（図示せず）によってＩＣチップに対するデータの読み取り又は書き込みが行われる。
【０００４】
例えば、クレジットカードによるクレジット決済では、まず、店員や顧客等が、クレジットカードの種類（例えば、磁気カード、接触型ＩＣカード、非接触型ＩＣカード等）を判断する。そして、店員は、クレジットカードの種類に対応するカード処理装置にクレジットカードを挿入して、クレジットカードからデータを読み取る。このように、店員や顧客等は、カードの種類を判断する必要がある。
【０００５】
【発明が解決しようとする課題】
しかしながら、様々なカードが広い分野に普及し、さらに新しいタイプのカードが次々に開発されている現在、カードの種類を簡単に判断することは難しい。
特に、非接触型ＩＣカードはＩＣチップを内蔵しており、ＩＣチップが外観から確認できないので、ある程度カードに関する知識のある店員や顧客等でないと、カードの種類を判断することは難しい。つまり、カードの種類を判断することは、店員や顧客にとって、困難な作業であり、さらに、面倒な作業でもある。また、店員は、カードの種類毎に対応するカード処理装置によってカードに対するデータの読み取り又は書き込みを行うので、装置の操作が大変である。これらの要因により、決済処理に時間を費やし、顧客を待たせてしまうという問題も生じる。
【０００６】
本発明は、店員や顧客等がカードの種類を意識することなく、カードに対するデータの読み取り又は書き込みを行うことができるカード処理装置を提供することを目的とする。
【０００７】
【課題を解決するための手段】
本発明は、磁気ストライプ又はＩＣチップの少なくとも一方を有するカードが搬送されるカード通路を内部に有する筐体と、前記筐体の正面に設けられ、前記カード通路に通じる正面開口部と、前記正面開口部から挿入された前記カードを前記カード通路に沿って搬送するカード搬送機構（例えば、カード通路を間に対向して回転するローラ対）と、前記カード搬送機構により搬送される前記カードの磁気ストライプに記憶されているデータの読み取りを行う磁気カードリーダと、前記カード搬送機構により読取位置まで搬送された前記カードのＩＣチップに接触して、ＩＣチップに対するデータの読み取り又は書き込みを行う接触型ＩＣカードリーダ／ライタと、前記カード搬送機構によって引き込まれていない前記カードのＩＣチップとの間で電波を介し、非接触でＩＣチップに対するデータの読み取り又は書き込みを行うことができるように前記正面開口部に挿入される前記カードに対向する位置に位置付けられた非接触型ＩＣカードリーダ／ライタと、を備え、前記非接触型ＩＣカードリーダ／ライタによってデータの読み取り又は書き込みが行われる種類の前記カードであったとしても、前記正面開口部に挿入された前記カードを前記カード搬送機構により引き込むようにした。
【０００８】
したがって、正面開口部から挿入される全ての種類のカード（例えば、磁気カード、接触型ＩＣカード及び非接触型ＩＣカード等）に対するデータの読み出し又は書き込みが可能になる。
【０００９】
【発明の実施の形態】
本発明の参考例を図１ないし図５に基づいて説明する。本参考例は、カード処理装置として決済端末を適用した一例である。図１は決済端末１を正面側から見た状態を概略的に示す外観斜視図、図２は決済端末１を背面側から見た状態を概略的に示す外観斜視図、図３はその縦断側面図である。
【００１０】
決済端末１は、箱型のボトムカバー２と、ボトムカバー２の上側に設けられるトップカバー３とによって構成される筐体としての本体ケーシング４を有している。本体ケーシング４の正面（図１中手前側を正面側とする。）には、水平方向に長いスリット形状を有して本体ケーシング４の内側と外側とを連通し、カードＣを挿入／排出するための正面連通口５が設けられている。これが、正面開口部である。一方、図２に示すように、本体ケーシング４の背面には、水平方向に長いスリット形状を有して本体ケーシング４の内側と外側とを連通し、正面連通口５と同様にカードＣを挿入／排出するための背面連通口６が設けられている。これが、背面開口部である。なお、背面連通口６は、本体ケーシング４の設置面からの高さが正面連通口５と同じ高さになるように位置付けられている。つまり、詳細については後述するが、本参考例の決済端末１は、正面連通口５及び背面連通口６を介した双方向からのカードＣの挿入／排出が可能な構成になっている。そして、本参考例の決済端末１は、本体ケーシング４の正面連通口５側を顧客側に向け、本体ケーシング４の背面連通口６側をオペレータである店員側に向けて設置されるものである。
【００１１】
ここで、正面連通口５を介して決済端末１に対して挿入／排出されるカードＣについて説明する。本参考例のカードＣは、磁気ストライプＳ又はＩＣチップＴの少なくとも一方を有するクレジットカード又はデビットカード（キャッシュカード）であって、クレジットカードには、クレジット決済用のカード番号や暗証番号等の顧客データが記憶されており、デビットカードには、このカードの所有者である顧客の銀行口座番号や口座開設時に設定された暗証番号等の顧客データが記憶されている。なお、磁気ストライプＳ及びＩＣチップＴの位置を概略的に例示するため、図１には、磁気ストライプＳ及びＩＣチップＴを有するカードＣを示している。例示しているＩＣチップＴは、接触型のＩＣチップＴであり、その表面は、外部接触端子となっている。また、非接触型のＩＣチップ（図示せず）は、カードＣに内蔵されている場合が多く、このＩＣチップが有するアンテナ（図示せず）も同様にカードＣに内蔵されている。
【００１２】
本体ケーシング４の正面連通口５の近傍には、カードＣの挿入方向を案内するイラスト７が備えられている。このイラスト７は、カードＣに付されている矢印等のマークが示す方向と同方向に挿入するように、カードＣの挿入方向を案内するものである。また、本体ケーシング４の背面連通口６の近傍にも、同様に、カードＣの挿入方向を案内するイラスト８が備えられている。イラスト８は、カードＣに付されている矢印等のマークが示す方向と反対方向に挿入するようにカードＣの挿入方向を案内するものである。このようなイラスト７，８の表示にしたがって、磁気ストライプＳ又はＩＣチップＴの少なくとも一方を有するカードＣが挿入された場合には、カードＣの磁気ストライプＳ又はＩＣチップＴが同一の位置を通過することになる。
【００１３】
また、本体ケーシング４の正面連通口５の近傍や背面連通口６の近傍には、ＬＥＤ９がそれぞれ設けられている。本参考例の決済端末１は、これらのＬＥＤ９を点灯又は点滅させることにより、決済端末１の動作状態を顧客や店員等のオペレータに対して報知することができるようになっている。
【００１４】
加えて、本体ケーシング４の背面連通口６の近傍には、決済端末１の決済処理モードをクレジット決済処理モード又はデビット決済処理モードに設定するために、オペレータによる操作を受け付けるオペレータスイッチ１０が設けられている。なお、オペレータスイッチ１０は、本体ケーシング４の背面連通口６を挟む両端部に、二つ設けられている。このようにオペレータスイッチ１０を二つ設けたのは、決済端末１の設置場所により左右どちらか一方からのオペレータの操作が困難になる場合があるので、背面連通口６の左右どちらの方向からもオペレータの操作を容易にするためである。
【００１５】
本体ケーシング４の上面には、顧客等のオペレータによる操作を受け付けるキーボード１１が設けられている。このキーボード１１には、「０」から「９」までの置数キー、エンターキー、キャンセルキー及び各種ファンクションキー等が配列されている。後述するカード決済処理に際しては、「０」から「９」までの置数キーが操作されることにより決済金額が入力される。
【００１６】
また、本体ケーシング４の上側のキーボード１１より背面側には、ＬＣＤ(Liquid Crystal Display)１２を有し、フリーストッパ（図示せず）を介して本体ケーシング４に連結された支軸（図示せず）を回動中心として本体ケーシング４に対して回動自在とされているＬＣＤユニット１３が設けられている。ＬＣＤユニット１３は、フリーストッパの機能によって、上面が本体ケーシング４の上面に連続する横伏位置と、本体ケーシング４に対して起立する起立位置との間で任意の位置に位置付けられる。ＬＣＤユニット１３のＬＣＤ１２には、後述するカード決済処理に際し、各種の操作ガイダンス等が表示される。
【００１７】
図３に示すように、本体ケーシング４の内部には、カードリーダライタ部１４が設けられている。カードリーダライタ部１４には、カード通路１５が設けられており、正面連通口５と背面連通口６とを直線的に連通する。カード通路１５には、カード通路１５を間にして対向する２対のローラ対１６，１７が設けられている。一方のローラ対１６は正面連通口５側に設けられており、他方のローラ対１７は背面連通口６側に設けられている。ローラ対１６，１７は、本体ケーシング４内に設けられるモータ１８(図４参照)によって、同一方向にカードＣを搬送するように回転駆動される。これが、カード搬送機構である。
【００１８】
また、カード通路１５には、カードＣの磁気ストライプＳに記憶されたデータを読み取るための磁気カードリーダ１９が設けられており、イラスト７，８の表示にしたがって挿入されるカードＣの磁気ストライプＳに対応する位置に位置付けられている。この磁気カードリーダ１９は、磁気ヘッドを有し、この磁気ヘッドにより、搬送されるカードＣの磁気ストライプＳからデータを読み取る構造になっている。
【００１９】
さらに、カード通路１５には、カードＣが有するＩＣチップＴに接触して、ＩＣチップＴに対するデータの読み取り又は書き込みを行う接触型ＩＣカードリーダ／ライタ２０が設けられており、イラスト７，８の表示にしたがって挿入されるカードＣのＩＣチップＴに対応する位置に位置付けられている。この接触型ＩＣカードリーダ／ライタ２０は、接触端子を有し、この接触端子をＩＣチップＴが有する外部接触端子に接触させて、データの読み取り又は書き込みを行う構造になっている。
【００２０】
そして、正面連通口の近傍には、カードＣが有するＩＣチップとの間で電波を介し、非接触でＩＣチップに対するデータの読み取り又は書き込みを行う非接触型ＩＣカードリーダ／ライタ２１が設けられており、正面連通口５より顧客側であって、正面連通口５から挿入されるカードＣに対向する位置に位置付けられている。これにより、非接触型ＩＣカードリーダ／ライタ２１が、磁気カードリーダ１９及び接触型ＩＣカードリーダ／ライタ２０に比べ、最初にカードＣからデータの読み取りを行うことができる。この非接触型ＩＣカードリーダ／ライタ２１は、アンテナ（図示せず）を有し、このアンテナとＩＣチップが有するアンテナとの間で電波を送受信して、非接触でデータの読み取り又は書き込みを行う構造になっている。
【００２１】
また、カード通路１５の正面連通口５の近傍、及び、背面連通口６の近傍には、カードＣの挿入を検知するための透過型光センサである顧客側センサ２２及び店員側センサ２３がそれぞれ設けられている。さらに、カード通路１５の正面連通口５の近傍には、カード通路１５を遮断する遮断位置と、カード通路１５を開放する開放位置との間で揺動自在とされた遮断部としてのシャッター２４が設けられている。シャッター２４は、ソレノイド２５(図４参照)に連結されており、ソレノイド２５のＯＮ／ＯＦＦ駆動によって、遮断位置又は開放位置のいずれか一方に選択的に位置付けられる。これが、位置付け手段である。
【００２２】
このような決済端末１は、本体ケーシング４のボトムカバー２の内側に、決済端末１が備える各部を駆動制御する各種制御回路を搭載したメインＰＣＢ(Printed Circuit Board：プリント配線基板)２６及びサブＰＣＢ２７を備えている。
メインＰＣＢ２６とサブＰＣＢ２７とは、互いに通信自在に接続されている。
【００２３】
次に、決済端末１が備える各部の電気的接続について図４を参照して説明する。図４は、決済端末１が備える各部の電気的接続を概略的に示すブロック図である。図４に示すように、決済端末１は、マイクロコンピュータ(Microcomputer：以下、マイコンという)２８を備えており、このマイコン２８によって決済端末
１が備える各部を駆動制御する。マイコン２８は、各部を集中的に駆動制御するＣＰＵ(Central Processing Unit)２９に、アドレスバス、データバス等のバス
ライン３０を介して、制御プログラム等の固定的データを予め格納するＲＯＭ(Read Only Memory)３１と、可変的なデータを書き換え自在に記憶してＣＰＵ２９の作業エリアとして機能するＲＡＭ(Random Access Memory)３２とが接続されて構成されている。
【００２４】
ＲＡＭ３２には、後述するカード決済処理に際し、決済端末１の決済処理モード（クレジット決済処理モード又はデビット決済処理モード）に応じたカードＣの挿入方向と排出方向とを設定した挿入／排出方向設定エリア(図示せず)が確保されている。例えば、クレジット決済処理モードの場合には、カードＣの挿入方向が正面連通口５側、カードＣの排出方向が背面連通口６側である。一方、デビット決済処理モードの場合には、カードＣの挿入方向が正面連通口５側、カードＣの排出方向も正面連通口５側である。そして、マイコン２８は、ＲＡＭ３２の挿入／排出方向設定エリアの設定に基づいて各部を駆動制御することになる。
【００２５】
ＲＯＭ３１には制御プログラムが格納されており、決済端末１の起動時、ＲＯＭ３１に格納された制御プログラムはＲＡＭ３２に書き込まれ、これによってマイコン２８による各部の駆動制御が可能な状態となる。マイコン２８により駆動制御される各部を次に説明する。
【００２６】
オペレータスイッチ１０は、スイッチ入力回路３３を介してバスライン３０に接続され、スイッチ入力回路３３の動作によって切り換え位置に応じた信号をマイコン２８に入力する。マイコン２８は、オペレータスイッチ１０の出力信号に応じて、決済端末１の決済処理モードをクレジット決済モード又はデビット決済モードに設定する。
【００２７】
ＬＥＤ９は、点灯制御回路３４を介してバスライン３０に接続され、マイコン２８からの信号が点灯制御回路３４に入力されると、点灯制御回路３４による駆動制御にしたがって点灯／消灯を行う。
【００２８】
キーボード１１は、キーボード入力回路３５を介してバスライン３０に接続され、キーボード入力回路３５の動作によって、店員や顧客等のオペレータにより押下されたキーに応じた信号をマイコン２８に入力する。
【００２９】
ＬＣＤ１２は、表示制御回路３６を介してバスライン３０に接続され、マイコン２８からの表示データが表示制御回路３６に入力されると、表示制御回路３６に駆動されて所定事項を表示する。
【００３０】
磁気カードリーダ１９は、磁気カードリーダ制御回路３７を介してバスライン３０に接続され、磁気カードリーダ制御回路３７の動作によってマイコン２８に対して読み取った信号を入力する。
【００３１】
接触型ＩＣカードリーダ／ライタ２０は、ＩＣカードリーダ／ライタ制御回路３８を介してバスライン３０に接続され、ＩＣカードリーダ／ライタ制御回路３８の動作によってマイコン２８との間で信号の入出力を行う。
【００３２】
非接触型ＩＣカードリーダ／ライタ２１は、ＩＣカードリーダ／ライタ制御回路３９を介してバスライン３０に接続され、ＩＣカードリーダ／ライタ制御回路３９の動作によってマイコン２８との間で信号の入出力を行う。
【００３３】
モータ１８は、モータ駆動回路４０を介してバスライン３０に接続され、マイコン２８からの駆動信号に応じたモータ駆動回路４０の動作によって正逆回転駆動する。
【００３４】
顧客側センサ２２及び店員側センサ２３は、センサ入力回路４１，４２を介してそれぞれバスライン３０に接続され、センサ入力回路４１，４２の動作によってカードＣの挿入の有無を示す検出信号をマイコン２８に入力する。
【００３５】
ソレノイド２５は、バスライン３０に接続されており、マイコン２８からの駆動信号に応じてＯＮ／ＯＦＦ駆動される。
【００３６】
また、決済端末１には、プリンタ４３が内蔵されており、マイコン２８によって駆動制御される。このプリンタ４３は、プリンタ制御回路４４を介してバスライン３０に接続され、マイコン２８からの印字データがプリンタ制御回路４４に入力されると、プリンタ制御回路４４に駆動されてクレジット伝票や利用明細票を発行する。
【００３７】
さらに、マイコン２８には、中継センタであるＣＡＦＩＳ（Credit And Finance Information Switching System ）Ｘ等との通信を司る通信Ｉ／Ｆ４５がバスライン３０を介して接続されている。これにより、この決済端末１は、このＣＡＦＩＳＸを経由して通信回線によりクレジット会社Ｙのコンピュータや銀行Ｚのコンピュータに接続されている。
【００３８】
このような構成において、決済端末１に内蔵されたＲＯＭ３１に格納された制御プログラムが、マイコン２８に実行させる機能について説明する。なお、本参考例においては、従来の決済端末１によって行なわれる処理と同様の処理についてはその説明を省略する。本参考例の決済端末１の有する特長的な機能であるカード決済処理の流れを以下に説明する。ここで、図５はカード決済処理の流れを概略的に示すフローチャートである。
【００３９】
図５に示すように、カード決済処理は、まず、キーボード１１の置数キーによる決済金額の入力に待機する（ステップＳ１のＮ）。なお、決済端末１がＰＯＳ端末等に接続されて使用されている場合には、決済金額はＰＯＳ端末から入力される。
【００４０】
キーボード１１の置数キーのキー操作による決済金額の入力等があったと判断されると（Ｓ１のＹ）、次に、オペレータスイッチ１０の操作により決済端末１の決済処理モード（クレジット決済処理モード又はデビット決済処理モード）が設定されたと判断するまで待機する（Ｓ２のＮ）。このとき、この設定を促すメッセージがＬＣＤ１２に表示されている。そして、設定は、オペレータがオペレータスイッチ１０の操作により顧客が希望する決済処理モードを選択することによって行われるが、これに限るものではなく、例えば、オペレータスイッチ１０と同様の機能を有するキーをキーボード１１内に設けて、顧客が自ら設定するようにしても良い。
【００４１】
決済端末１の決済処理モードが設定されたと判断されると（Ｓ１のＹ）、次に、カードＣの挿入による顧客側センサ２２又は店員側センサ２３の出力変化に基づき、カードＣがカード通路１５に挿入されたか否かを判断する（Ｓ３のＮ）。
なお、本参考例の決済端末１は、本体ケーシング４の正面連通口５側を顧客側に向けて設置されていることから、顧客自らが正面連通口５からカードＣを挿入することになる。そして、顧客は、カードＣの種類（磁気カード、接触型ＩＣカード、非接触型ＩＣカード等）を判断せずにカードＣを挿入する。
【００４２】
ここで、非接触型ＩＣカードリーダ／ライタ２１が正面連通口５より顧客側に位置付けられているので、カードＣが正面連通口５に挿入されるときに非接触型ＩＣカードリーダ／ライタによりカードＣに対するデータの読み取りが行われる。このとき、カードＣの挿入による顧客側センサ２２又は店員側センサ２３の出力変化がないので、カードＣがカード通路１５に挿入されていないと判断され、（Ｓ３のＮ）、非接触型ＩＣカードリーダ／ライタ２１によってカードＣのデータが読み取られたと判断するまで待機する（Ｓ４のＮ）。ここに、ＩＣ読取判断手段の機能が実現される。
【００４３】
非接触型ＩＣカードリーダ／ライタ２１によってカードＣのデータが読み取られたと判断された場合には（Ｓ４のＹ）、カード搬送制御処理が実行され（Ｓ５）、その後、決済処理が実行される（Ｓ６）。カード搬送制限処理は、ソレノイド２５をＯＮ状態としてシャッター２４を遮断位置に位置付ける。ここに、カード搬送制限手段の機能が実現される。これにより、カードＣの挿入ができず、カードＣが決済端末１内に引き込まれないので、磁気カードリーダ１９及び接触型ＩＣカードリーダ／ライタ２０によるカードＣに対するデータの読み取りが行われず、カード決済処理時間を短縮することができ、さらに、ローラ対１６，１７によるカードＣに対する傷や汚れ等の発生や磁気ストライプＳの劣化を防止することができる。そして、シャッター２４が、挿入されるカードＣを非接触型ＩＣカードリーダ／ライタ２１に対向する位置に位置付けるので、正確にＩＣチップに対するデータの読み取り又は書き込みを行うことができる。
【００４４】
次に、顧客により正面連通口５からカードＣが挿入されたことによる顧客側センサ２２の出力変化に基づき、カードＣがカード通路１５に挿入されたと判断された場合には（Ｓ３のＹ）、引き込み処理を実行する（Ｓ７）。引き込み処理は、ＲＡＭ３２の挿入／排出方向設定エリアの設定に基づき、ローラ対１６，１７の回転によって正面側から背面側(図３中左から右方向)へとカードＣが搬送されるようにモータ１８を正回転させる。カードＣは、接触型ＩＣカードリーダ／ライタ２０の読取位置（接触型ＩＣカードリーダ／ライタ２０の接触端子がカードＣのＩＣチップＴの外部接触端子に接触可能な位置）まで搬送される。
【００４５】
なお、顧客側センサ２２の出力変化に基づいて、カード通路１５に挿入されたカードＣの後端が顧客側センサ２２を通過したことを判断すると、ソレノイド２５をＯＮ状態としてシャッター２４を遮断位置に位置付ける。これにより、カード通路１５にカードＣが既に存在する状態で、別のカードＣが挿入されてしまうことを防止することができる。
【００４６】
磁気カードリーダ１９によってカードＣのデータが読み取られたか否かを判断する（Ｓ８）。そして、磁気カードリーダ１９によってカードＣのデータが読み取られた場合には（Ｓ８のＹ）、カードＣにＩＣチップＴが有るか否かを判断する（Ｓ９）。ここで、ＩＣチップＴが有るか否かの判断は、カードＣから読み取られ、ＩＣチップＴの有無を示すデータに基づいて判断される。そして、カードＣにＩＣチップＴが無い場合には（Ｓ９のＮ）、決済処理が実行される（Ｓ６）。
【００４７】
次に、磁気カードリーダ１９によってカードＣのデータが読み取られなかった場合（Ｓ８のＮ）、及び、カードＣにＩＣチップＴが有る場合（Ｓ９のＹ）には、接触型ＩＣカードリーダ／ライタ２０の読取位置にカードＣが位置付けられると、接触型ＩＣカードリーダ／ライタ２０によってカードＣのデータが読み取られたか否かを判断する（Ｓ１０）。そして、接触型ＩＣカードリーダ／ライタ２０によってカードＣのデータが読み取られなかった場合には（Ｓ１０のＮ）、エラーメッセージをＬＣＤ１２に表示する等のエラー処理を行う（Ｓ１１）。接触型ＩＣカードリーダ／ライタ２０によってカードＣのデータが読み取られた場合には（Ｓ１０のＹ）、決済処理が実行される（Ｓ６）。ここで、決済処理は、ステップＳ２で設定された決済処理モード（クレジット決済モード又はデビット決済処理モード）を実行する。
【００４８】
ステップＳ２で決済処理モードがクレジット決済処理モードに設定された場合には、決済処理として、カードＣから読み取ったデータ（クレジット決済用のカード番号等）とステップＳ１で入力された決済金額とに基づいてクレジットデータを作成し、作成したクレジットデータをクレジット会社Ｙへ送信する。クレジット会社Ｙでは、送信されたクレジットデータに対して信用チェックや金額承認等の信用照会処理を行った後に、その照会結果データを決済端末１に送信する。
照会結果データを受信した決済端末１は、この照会結果データにしたがってクレジット伝票を発行する（Ｓ６）。
【００４９】
このようにして決済処理が終了すると、最後に排出処理が実行される（Ｓ１２）。排出処理は、ソレノイド２５をＯＦＦ状態としてシャッター２４を開放位置に位置付けるとともに、ＲＡＭ３２の挿入／排出方向設定エリアの設定に基づきローラ対１６，１７を正回転させ、ＩＣカードリーダ／ライタ２０の読取位置で停止していたカードＣを本体ケーシング４の外へ背面連通口６を介して排出する。これにより、店員は、背面連通口６を介して本体ケーシング４の外へと排出発行されたカードＣを容易に受け取ることができる。
【００５０】
店員は、発行されたクレジット伝票に顧客のサインを記入させた後、クレジット伝票に記載された顧客のサインと、決済端末１から排出されたカードＣに記載されているサインとを見比べて、一致していることを確認した後に、カードＣ及びクレジット伝票の控を顧客に渡す。
【００５１】
つまり、本参考例の決済端末１によれば、クレジット決済に際して顧客から店員にカードＣを渡し、このカードＣを店員が決済端末１に挿入するといった煩雑な手順を踏むことなく、クレジット決済を行うことができる。また、クレジット決済に際して、顧客側へカードＣが排出されることもないので、クレジット決済完了時点で直ちにサインの見比べ作業を行うことができる。
【００５２】
また、ステップＳ２で決済処理モードがデビット決済処理モードに設定された場合には、決済処理として、ＬＣＤ１２に表示された案内にしたがい顧客によるキーボード１１の置数キーのキー操作によって入力された暗証番号とカードＣから読み取ったデータ（デビット決済用の銀行口座番号等）とステップＳ１で入力された決済金額とに基づいてデビットデータを作成し、作成したデビットデータを銀行Ｚへ送信する。銀行Ｚでは、送信されたデビットデータに基づいて該当する口座の残高から決済金額を差し引いた後、その引落とし結果データを決済端末１に送信する。引落とし結果データを受信した決済端末１は、この引落とし結果データにしたがって利用明細票を発行する（Ｓ６）。
【００５３】
このようにして決済処理が終了すると、最後に排出処理が実行される（Ｓ１２）。排出処理は、ソレノイド２５をＯＦＦ状態としてシャッター２４を開放位置に位置付けるとともに、ＲＡＭ３２の挿入／排出方向設定エリアの設定に基づきローラ対１６，１７を逆回転させ、カード通路１５内の所定位置で停止していたカードＣを本体ケーシング４の外へ正面連通口５を介して排出する。これにより、顧客は、正面連通口５を介して本体ケーシング４の外へと排出発行されたカードＣを容易に受け取ることができる。
【００５４】
つまり、本参考例の決済端末１によれば、デビット決済に際して店員に対してカードＣを渡し、このカードＣを店員が決済端末１に挿入するといった煩雑な手順を踏むことなく、デビット決済を行うことができる。また、本参考例の決済端末１によれば、店員が不必要に長くカードＣに触れることがないので、不正防止の観点からの信頼性の向上を図ることができる。
【００５５】
したがって、本参考例の決済端末１によれば、正面連通口５又は背面連通口６から挿入される全ての種類のカードＣ（例えば、磁気カード、接触型ＩＣカード及び非接触型ＩＣカード等）に対するデータの読み出し又は書き込みが可能となるので、店員や顧客等のオペレータは、カードＣの種類を意識することなくカードＣを正面連通口５又は背面連通口６に挿入して、カードＣに対するデータの読み取り又は書き込みを行うことができる。
【００５６】
なお、本参考例においては、図５に示すように、非接触型ＩＣカードリーダ／ライタ２１によりカードＣのデータが読み取られたと判断された場合に（Ｓ４のＹ）、カード搬送制限処理として、シャッター２４を遮断位置に位置付けているが（Ｓ５）、これに限るものではなく、例えば、ローラ対１６，１７が回転駆動しないように制御しても良い。これにより、カードＣの挿入ができず、カードＣが決済端末１内に引き込まれないので、磁気カードリーダ１９及び接触型ＩＣカードリーダ／ライタ２０によるカードＣに対するデータの読み取りが行われず、カード決済処理時間を短縮することができ、ローラ対１６，１７によるカードＣに対する傷や汚れ等の発生や磁気ストライプＳの劣化を防止することができ、さらに、ローラ対１６，１７を駆動させる電力の消費を抑えることができる。
【００５７】
本発明の一実施の形態を図６に基づいて説明する。本実施の形態は、カード処理装置として決済端末１を適用した一例である。本実施の形態の基本的構成は、上記参考例と同じであり、上記参考例との相違点は、カード決済処理の流れである。なお、本実施の形態においては、従来の決済端末１によって行なわれる処理と同様の処理についてはその説明を省略する。
【００５８】
本実施の形態の決済端末１の有する特長的な機能であるカード決済処理の流れを以下に説明する。図６はカード決済処理の流れを概略的に示すフローチャートである。なお、上記参考例と同一部分は同一符号で示し、説明も省略する。
【００５９】
図６に示すように、カード決済処理は、まず、キーボード１１の置数キーによる決済金額の入力に待機する（ステップＳ１のＮ）。なお、決済端末１がＰＯＳ端末等に接続されて使用されている場合には、決済金額はＰＯＳ端末から入力される。
【００６０】
キーボード１１の置数キーのキー操作による決済金額の入力等があったと判断されると（Ｓ１のＹ）、次に、オペレータスイッチ１０の操作により決済端末１の決済処理モード（クレジット決済処理モード又はデビット決済処理モード）が設定されたと判断するまで待機する（Ｓ２のＮ）。このとき、この設定を促すメッセージがＬＣＤ１２に表示されている。そして、設定は、オペレータがオペレータスイッチ１０の操作により顧客が希望する決済処理モードを選択することによって行われるが、これに限るものではなく、例えば、オペレータスイッチ１０と同様の機能を有するキーをキーボード１１内に設けて、顧客が自ら設定するようにしても良い。
【００６１】
決済端末１の決済処理モードが設定されたと判断されると（Ｓ１のＹ）、次に、カードＣの挿入による顧客側センサ２２又は店員側センサ２３の出力変化に基づき、カードＣがカード通路１５に挿入されたと判断するまで待機する（Ｓ２０のＮ）。なお、本実施の形態の決済端末１は、本体ケーシング４の正面連通口５側を顧客側に向けて設置されていることから、顧客自らが正面連通口５からカードＣを挿入することになる。そして、顧客は、カードＣの種類（磁気カード、接触型ＩＣカード、非接触型ＩＣカード等）を判断せずにカードＣを挿入する。顧客により正面連通口５からカードＣが挿入されたことによる顧客側センサ２２の出力変化に基づき、カードＣがカード通路１５に挿入されたと判断された場合には（Ｓ２０のＹ）、引き込み処理を実行する（Ｓ７）。
【００６２】
ここで、カードＣが非接触カードである場合には、カードＣをカード通路１５内に引き込む必要はないが、顧客はカードＣが引き込まれないと異常が発生したと認識してしまうので、本実施の形態においては、引き込み処理で、カードＣを必ず読取位置（カードＣを目視できない位置）まで引き込むようにしている。これにより、店員や顧客等のオペレータは、カードＣを目視できなくなり、カードＣのデータが読み取られていると判断するので、装置が正常に動作していると認識することができる。
【００６３】
引き込み処理は、ＲＡＭ３２の挿入／排出方向設定エリアの設定に基づき、ローラ対１６，１７の回転によって正面側から背面側(図３中左から右方向)へとカードＣが搬送されるようにモータ１８を回転駆動させる（以降、カードＣを正面側から背面側へ搬送するモータ１８の回転を正回転とする）。カードＣは、接触型ＩＣカードリーダ／ライタ２０の読取位置（接触型ＩＣカードリーダ／ライタ２０の接触端子がカードＣのＩＣチップＴの外部接触端子に接触可能な位置）まで搬送される。
【００６４】
なお、顧客側センサ２２の出力変化に基づいて、カード通路１５に挿入されたカードＣの後端が顧客側センサ２２を通過したことを判断すると、ソレノイド２５をＯＮ状態としてシャッター２４を遮断位置に位置付ける。これにより、カード通路１５にカードＣが既に存在する状態で、別のカードＣが挿入されてしまうことを防止することができる。
【００６５】
そして、非接触型ＩＣカードリーダ／ライタ２１によってカードＣのデータが読み取られたか否かを判断する（Ｓ２１）。ここで、非接触型ＩＣカードリーダ／ライタ２１によってカードＣのデータが読み取られた場合には（Ｓ２１のＹ）、接触型ＩＣカードリーダ／ライタ２０によるデータの読み取りが行われないように制御して、決済処理が実行される（Ｓ６）。これにより、接触型ＩＣカードリーダ／ライタ２０によるカードＣに対するデータの読み取りが行われないので、カード決済処理時間を短縮することができる。
【００６６】
非接触型ＩＣカードリーダ／ライタ２１によってカードＣのデータが読み取られなかった場合には（Ｓ２１のＮ）、磁気カードリーダ１９によってカードＣのデータが読み取られたか否かを判断する（Ｓ８）。そして、磁気カードリーダ１９によってカードＣのデータが読み取られた場合には（Ｓ８のＹ）、カードＣにＩＣチップＴが有るか否かを判断する（Ｓ９）。ここで、ＩＣチップＴが有るか否かの判断は、カードＣから読み取られ、ＩＣチップＴの有無を示すデータに基づいて判断される。そして、カードＣにＩＣチップＴが無い場合には（Ｓ９のＮ）、決済処理が実行される（Ｓ６）。
【００６７】
次に、磁気カードリーダ１９によってカードＣのデータが読み取られなかった場合（Ｓ８のＮ）、及び、カードＣにＩＣチップＴが有る場合（Ｓ９のＹ）には、接触型ＩＣカードリーダ／ライタ２０の読取位置にカードＣが位置付けられると、接触型ＩＣカードリーダ／ライタ２０によってカードＣのデータが読み取られたか否かを判断する（Ｓ１０）。そして、接触型ＩＣカードリーダ／ライタ２０によってカードＣのデータが読み取られなかった場合には（Ｓ１０のＮ）、エラーメッセージをＬＣＤ１２に表示する等のエラー処理を行う（Ｓ１１）。接触型ＩＣカードリーダ／ライタ２０によってカードＣのデータが読み取られた場合には（Ｓ１０のＹ）、決済処理が実行される（Ｓ６）。ここで、決済処理は、ステップＳ２で設定された決済処理モード（クレジット決済モード又はデビット決済処理モード）を実行する。
【００６８】
ステップＳ２で決済処理モードがクレジット決済処理モードに設定された場合には、決済処理として、カードＣから読み取ったデータ（クレジット決済用のカード番号等）とステップＳ１で入力された決済金額とに基づいてクレジットデータを作成し、作成したクレジットデータをクレジット会社Ｙへ送信する。クレジット会社Ｙでは、送信されたクレジットデータに対して信用チェックや金額承認等の信用照会処理を行った後に、その照会結果データを決済端末１に送信する。
照会結果データを受信した決済端末１は、この照会結果データにしたがってクレジット伝票を発行する（Ｓ６）。
【００６９】
このようにして決済処理が終了すると、最後に排出処理が実行される（Ｓ１２）。排出処理は、ソレノイド２５をＯＦＦ状態としてシャッター２４を開放位置に位置付けるとともに、ＲＡＭ３２の挿入／排出方向設定エリアの設定に基づきローラ対１６，１７を正回転させ、ＩＣカードリーダ／ライタ２０の読取位置で停止していたカードＣを本体ケーシング４の外へ背面連通口６を介して排出する。これにより、店員は、背面連通口６を介して本体ケーシング４の外へと排出発行されたカードＣを容易に受け取ることができる。
【００７０】
店員は、発行されたクレジット伝票に顧客のサインを記入させた後、クレジット伝票に記載された顧客のサインと、決済端末１から排出されたカードＣに記載されているサインとを見比べて、一致していることを確認した後に、カードＣ及びクレジット伝票の控を顧客に渡す。
【００７１】
つまり、本実施の形態の決済端末１によれば、クレジット決済に際して顧客から店員にカードＣを渡し、このカードＣを店員が決済端末１に挿入するといった煩雑な手順を踏むことなく、クレジット決済を行うことができる。また、クレジット決済に際して、顧客側へカードＣが排出されることもないので、クレジット決済完了時点で直ちにサインの見比べ作業を行うことができる。
【００７２】
また、ステップＳ２で決済処理モードがデビット決済処理モードに設定された場合には、決済処理として、ＬＣＤ１２に表示された案内にしたがい顧客によるキーボード１１の置数キーのキー操作によって入力された暗証番号とカードＣから読み取ったデータ（デビット決済用の銀行口座番号等）とステップＳ１で入力された決済金額とに基づいてデビットデータを作成し、作成したデビットデータを銀行Ｚへ送信する。銀行Ｚでは、送信されたデビットデータに基づいて該当する口座の残高から決済金額を差し引いた後、その引落とし結果データを決済端末１に送信する。引落とし結果データを受信した決済端末１は、この引落とし結果データにしたがって利用明細票を発行する（Ｓ６）。
【００７３】
このようにして決済処理が終了すると、最後に排出処理が実行される（Ｓ１２）。排出処理は、ソレノイド２５をＯＦＦ状態としてシャッター２４を開放位置に位置付けるとともに、ＲＡＭ３２の挿入／排出方向設定エリアの設定に基づきローラ対１６，１７を逆回転させ、カード通路１５内の所定位置で停止していたカードＣを本体ケーシング４の外へ正面連通口５を介して排出する。これにより、顧客は、正面連通口５を介して本体ケーシング４の外へと排出発行されたカードＣを容易に受け取ることができる。
【００７４】
つまり、本実施の形態の決済端末１によれば、デビット決済に際して店員に対してカードＣを渡し、このカードＣを店員が決済端末１に挿入するといった煩雑な手順を踏むことなく、デビット決済を行うことができる。また、本実施の形態の決済端末１によれば、店員が不必要に長くカードＣに触れることがないので、不正防止の観点からの信頼性の向上を図ることができる。
【００７５】
したがって、本実施の形態の決済端末１によれば、正面連通口５又は背面連通口６から挿入される全ての種類のカードＣ（例えば、磁気カード、接触型ＩＣカード及び非接触型ＩＣカード等）に対するデータの読み出し又は書き込みが可能となるので、店員や顧客等のオペレータは、カードＣの種類を意識することなくカードＣを正面連通口５又は背面連通口６に挿入して、カードＣに対するデータの読み取り又は書き込みを行うことができる。
【００７６】
なお、上記参考例及び本実施の形態においては、非接触型ＩＣカードリーダ／ライタ２１を正面連通口５より顧客側であって、正面連通口５から挿入されるカードＣに対向する位置に位置付けているが、これに限るものではなく、例えば、非接触型ＩＣカードリーダ／ライタ２１、磁気カードリーダ１９及び接触型ＩＣカードリーダ／ライタ２０をこの順番でカード通路１５に沿って位置付けても良い。また、図７に示すように、非接触型ＩＣカードリーダ／ライタ２１を本体ケーシング４の一部として着脱自在に設けられているユニット４６内に設け、正面連通口５から挿入されるカードＣに対向する位置に位置付けても良い。これにより、非接触型ＩＣカードリーダ／ライタ２１は、本体ケーシング４に対して着脱自在になり、非接触型ＩＣカードリーダ／ライタ２１が設けられていない決済端末１に、省スペースで、非接触型ＩＣカードリーダ／ライタ２１を後付けすることができ、非接触型ＩＣカードリーダ／ライタ２１を必要としないときには、取り外すことができる。
【００７７】
また、上記参考例及び本実施の形態においては、ＲＡＭ３２の挿入／排出方向設定エリアの設定を、クレジット決済処理モードの場合には、カードＣの挿入方向が正面連通口５側、カードＣの排出方向が背面連通口６側であり、デビット決済処理モードの場合には、カードＣの挿入方向が正面連通口５側、カードＣの排出方向も正面連通口５側であるとしたが、これに限るものではない。例えば、ＲＡＭ３２の挿入／排出方向設定エリアの設定を、クレジット決済処理モードの場合、カードＣの排出方向を背面連通口６とし、デビット決済処理モードの場合、カードＣの排出方向を正面連通口５側としても良い。このように排出方向のみを設定することにより、操作に不慣れな顧客については、店員がカードＣを一旦預かった後、店員が背面連通口６からカードＣを挿入することができる。なお、この場合には、顧客側センサ２２の出力変化又は店員側センサ２３の出力変化に基づき、カード通路１５内にカードＣを引き込む方向にローラ対１６，１７を回転させるような引き込み処理が実行される。
【００７８】
また、上記参考例及び本実施の形態においては、カード決済処理で（図５及び図６参照）、ＩＣチップＴの有無を判断しているが（Ｓ９）、これに限るものではなく、例えば、ＩＣチップＴの有無を判断しなくても良い。この場合には、接触型ＩＣカードリーダ／ライタ２０によってカードＣのＩＣチップＴに対する読み取り動作を開始してから、タイムアウト時間と称される一定時間が経過しても応答がないときに、決済処理が実行される（Ｓ６）。
【００７９】
そして、上記参考例及び本実施の形態においては、決済金額を決済端末１によって入力しているが、これに限るものではなく、例えば、決済端末１をＰＯＳ端末にケーブルを介して接続し、このＰＯＳ端末から入力しても良い。これにより、決済端末１の汎用性を向上させることができる。ここで、このＰＯＳ端末が、販売データ処理手段であり、商品の販売処理に関する決済金額データを決済端末１に送信する。そして、ＰＯＳ端末がプリンタを備えている場合には、決済処理に関して発行されるクレジット伝票や利用明細書等をＰＯＳ端末のプリンタから発行しても良い。さらに、ＰＯＳ端末のキーボード内のキーには、オペレータスイッチ１０と同じ機能を持たせても良い。
【００８０】
上記説明の実施の形態から、非接触型ＩＣカードリーダ／ライタ、磁気カードリーダ及び接触型ＩＣカードリーダ／ライタは、この順番で正面開口部からカード通路に沿って位置付けられていることにより、この順番でカードからデータの読み取りを行うことができる。
【００８１】
また、上記説明の実施の形態から、非接触型ＩＣカードリーダ／ライタは、正面開口部より手前側であって、正面開口部に挿入されるカードに対向する位置に位置付けられていることにより、非接触型ＩＣカードリーダ／ライタは、磁気カードリーダ及び接触型ＩＣカードリーダ／ライタに比べ、最初にカードからデータの読み取りを行うことができる。
【００８２】
また、上記説明の実施の形態から、非接触型ＩＣカードリーダ／ライタは、筐体に対して着脱自在に設けられていることにより、非接触型ＩＣカードリーダ／ライタが設けられていないカード処理装置に、省スペースで、非接触型ＩＣカードリーダ／ライタを後付けすることができ、非接触型ＩＣカードリーダ／ライタを必要としないときには、取り外すことができる。
【００８３】
また、上記説明の実施の形態から、筐体の背面に設けられ、カード通路に通じる背面開口部を備えることにより、背面開口部からカードを挿入／排出することが可能になり、正面及び背面のどちら側からもカードを挿入／排出することができる。
【００８４】
また、上記説明の実施の形態から、カード搬送機構によりカードを目視できない位置まで引き込むようにしていることにより、店員や顧客等のオペレータは、カードを目視できなくなり、カードのデータが読み取られていると判断するので、装置が正常に動作していると認識することができる。
【００８５】
また、上記参考例では、非接触型ＩＣカードリーダ／ライタによりカードのＩＣチップのデータが読み取られたか否かを判断するＩＣ読取判断手段を備え、ＩＣ読取判断手段によって、非接触型ＩＣカードリーダ／ライタによりカードのＩＣチップのデータが読み取られたと判断された場合には、カード搬送機構によりカードをカード通路内に引き込めないようにするカード搬送制限手段とを備えることにより、カードがカード処理装置内に引き込まれないので、磁気カードリーダ及び接触型ＩＣカードリーダ／ライタによるカードに対するデータの読み取りが行われず、カード決済処理時間を短縮することができ、さらに、カード搬送機構によるカードに対する傷や汚れ等の発生や磁気ストライプの劣化を防止することができる。
【００８６】
また、上記参考例では、カード搬送制限手段は、カード搬送機構が駆動しないようにすることにより、カード搬送機構を駆動させる余計な電力の消費を抑えることができる。
【００８７】
また、上記参考例では、カード搬送制限手段は、カード通路を遮断する遮断位置とカード通路を開放する開放位置との間で揺動自在にされている遮断部と、遮断部を遮断位置と開放位置とに選択的に位置付ける位置付け手段とを備え、ＩＣ読取判断手段によって、非接触型ＩＣカードリーダ／ライタによりカードのＩＣチップのデータが読み取られたと判断された場合には、位置付け手段により遮断部を遮断位置に位置付けることにより、遮断部が、正面開口部から挿入されるカードＣを非接触型ＩＣカードリーダ／ライタに対向する位置に位置付けるので、正確にＩＣチップに対するデータの読み取り又は書き込みを行うことができる。
【００８８】
最後に、上記参考例及び本発明の実施の形態から、上記参考例及び本実施の形態のカード処理装置と、カード処理装置に対し、商品の販売処理に関する決済金額データを送信する販売データ処理手段とを備えるカード決済システムが実現できる。したがって、カード処理装置の汎用性を向上させることができる。
【００８９】
【発明の効果】
本発明によれば、正面開口部から挿入される全ての種類のカード（例えば、磁気カード、接触型ＩＣカード及び非接触型ＩＣカード等）に対するデータの読み出し又は書き込みが可能になるので、店員や顧客等のオペレータは、カードの種類を意識することなく、カードに対するデータの読み取り又は書き込みを行うことができる。
【図面の簡単な説明】
【図１】本発明の参考例における決済端末を正面側から見た状態を概略的に示す外観斜視図である。
【図２】決済端末を背面側から見た状態を概略的に示す外観斜視図である。
【図３】決済端末の縦断側面図である。
【図４】決済端末が備える各部の電気的接続を概略的に示すブロック図である。
【図５】カード決済処理の流れを概略的に示すフローチャートである。
【図６】本発明の一実施の形態におけるカード決済処理の流れを概略的に示すフローチャートである。
【図７】非接触型ＩＣカードリーダ／ライタが正面に設けられた決済端末を概略的に示す縦断側面図である。
【図８】従来のカード決済システムを概略的に示す斜視図である。
【符号の説明】
１５…カード通路、１９…磁気カードリーダ、２０…接触型ＩＣカードリーダ／ライタ、２１…非接触型ＩＣカードリーダ／ライタ、Ｃ…カード、Ｓ…磁気ストライプ、Ｔ…ＩＣチップ
【図１】
0003573426.tif 000002
【図２】
0003573426.tif 000003
【図３】
0003573426.tif 000004
【図４】
0003573426.tif 000005
【図５】
0003573426.tif 000006
【図６】
0003573426.tif 000007
【図７】
0003573426.tif 000008
【図８】
0003573426.tif 000009